(57)【要約】【課題】  はんだ不足またははんだ付け不良の発生を防止し、電気的接続の確実性および信頼性を向上させることのできるはんだ付け方法およびはんだ付け構造を提供する。【解決手段】  一対の端子１，２を交差させた状態で端子１，２同士をはんだ付けするはんだ付け構造において、交差させた一対の端子１，２の端子２の先端部分に、端子１の先端部分と平行になる折り曲げ部２ｆを設ける。【選択図】  図１
2005111536.tif 000002
【特許請求の範囲】
【請求項１】
一対の端子を交差させた状態で前記端子同士をはんだ付けするはんだ付け方法において、
前記交差させた一対の端子の先端部分を平行にしてはんだ付けする、
ことを特徴とするはんだ付け方法。
【請求項２】
一対の端子を交差させた状態で前記端子同士をはんだ付けするはんだ付け構造において、
前記交差させた一対の端子の少なくとも一方の先端部分に、他方の端子の先端部分と平行になる折り曲げ部を設けた、
ことを特徴とするはんだ付け構造。
【発明の詳細な説明】
【技術分野】
【０００１】
この発明は、一対の端子を交差させた状態で端子同士をはんだ付けするはんだ付け方法およびはんだ付け構造に関するものである。
【背景技術】
【０００２】
通常、一対の端子、例えば、内燃機関用点火コイルにおける、一次端子と一次コイル、一次端子とスイッチング素子としてのパワートランジスタの端子、一次コイルとパワートランジスタの端子などを電気的に接続する場合、はんだ付けが行われている。
【０００３】
上記した従来のはんだ付け方法を、図５〜図８に基づいて説明する。
図５（ａ），（ｂ），（ｃ），（ｄ）は従来のはんだ付け構造における一対の端子の一部を示す組み付け前の斜視図、一対の端子を組み付けた状態の側面図、一方の端子をかしめた状態の側面図および一方の端子をかしめた状態の正面図、図６〜図８は図５（ｃ），（ｄ）に示した一対の端子をはんだディップするときの説明図である。
【０００４】
これらの図において、１１ははんだ付けする一方の端子、１２ははんだ付けする他方の端子を示し、端子１１には、端子１１に交差させて端子１２を組み付ける（装着する）切欠１１ａが設けられている。
Ｓははんだを示す。
【０００５】
次に、はんだ付けについて説明する。
まず、図５（ａ）に示す状態の端子１１の切欠１１ａ内に端子１２の先を装着して、図５（ｂ）に示すように、一対の端子１１，１２を交差させる。
そして、端子１１の切欠１１ａを挟む部分（かしめ部分）を内側へかしめることにより、図５（ｃ），（ｄ）に示すように、端子１１に端子１２を保持させる。
このように端子１１に端子１２を保持させた状態で、図６に示すように、切欠１１ａ側を下にしてはんだディップすることにより、端子１１，１２同士をはんだ付けすることができる。
【特許文献１】特開２００３−５３５２１号公報
【発明の開示】
【発明が解決しようとする課題】
【０００６】
従来のはんだ付けは、単に一対の端子１１，１２を交差させた状態ではんだ付けしているので、図７に示すように、端子１１のみをはんだディップすると、端子１２まで十分に温度が上昇しないため、はんだＳの吸い上がりが悪く、図８に示すように、一対の端子１１，１２が交差した部分の一部分にしかはんだＳが乗らず、はんだ不足またははんだ付け不良が発生し、電気的接続の確実性および信頼性を損ねていた。
そして、はんだ不足またははんだ付け不良が発生すると、そのはんだ不足部分またははんだ付け不良部分の抵抗が増大し、例えば、数ボルトの低電圧で動作するパワートランジスタの場合、動作不良を起こす恐れがある。
【０００７】
この発明は、上記したような不都合を解消するためになされたもので、はんだ不足またははんだ付け不良の発生を防止し、電気的接続の確実性および信頼性を向上させることのできるはんだ付け方法およびはんだ付け構造を提供するものである。
【課題を解決するための手段】
【０００８】
この発明は、一対の端子を交差させた状態で前記端子同士をはんだ付けするはんだ付け方法において、前記交差させた一対の端子の先端部分を平行にしてはんだ付けすることを特徴とする。
また、この発明は、一対の端子を交差させた状態で前記端子同士をはんだ付けするはんだ付け構造において、前記交差させた一対の端子の少なくとも一方の先端部分に、他方の端子の先端部分と平行になる折り曲げ部を設けたことを特徴とする。
【発明の効果】
【０００９】
この発明によれば、交差させた一対の端子の先端部分が平行になるので、はんだ付けする場合、一対の端子がはんだディップされるため、一対の端子の温度が上昇し易く、はんだの吸い上がりがよくなり、交差させた部分の全体にはんだ付けを行うことができる。
また、この平行な端子の先端部分間にはんだを保持させることにより、はんだ不足またははんだ付け不良の発生を防止し、はんだ付けの確実性および信頼性を向上させることができる。
【発明を実施するための最良の形態】
【００１０】
図１（ａ），（ｂ），（ｃ），（ｄ）はこの発明の一実施例であるはんだ付け構造における一対の端子の一部を示す組み付け前の斜視図、一対の端子を組み付けた状態の側面図、一方の端子をかしめた状態の側面図および一方の端子をかしめた状態の正面図、図２〜図４は図１（ｃ），（ｄ）に示した一対の端子をはんだディップするときの説明図である。
【００１１】
これらの図において、１ははんだ付けする一方の端子を示し、後述する端子２を交差させて組み付ける（装着する）切欠１ａが設けられている。
２ははんだ付けする他方の端子を示し、端子１の切欠１ａに装着する一定幅（切欠１ａの幅）の装着部２ａと、この装着部２ａを切欠１ａに装着したときに端子１に突き当たる段部２ｂとが設けられている。
そして、装着部２ａの先端部分は、端子１の先端部分と平行になるように、直角に折り曲げて折り曲げ部２ｆとされている。
【００１２】
次に、はんだ付けについて説明する。
まず、図１（ａ）に示す状態の端子１の切欠１ａ内に端子２の装着部２ａを装着して、図１（ｂ）に示すように、一対の端子１，２を交差させるとともに、図１（ｄ）に示すように、段部２ｂを端子１に突き当てる。
そして、端子１の切欠１ａを挟む部分（かしめ部分）を内側へかしめることにより、図１（ｃ），（ｄ）に示すように、端子１に端子２を保持させる。
このようにして端子１に端子２を保持させたとき、端子１と折り曲げ部２ｆとの間隔ｄを０．１ｍｍ〜５ｍｍ（好ましくは、０．２ｍｍ〜１．４ｍｍ）とするのが望ましい。
【００１３】
そして、端子１に端子２を保持させた状態で、図２および図３に示すように、切欠１ａ側を下にしてはんだディップすると、はんだＳが端子１，２の交差部分全体および端子１，２の交差部分から端子１の先端部分と折り曲げ部２ｆとの間に付着、保持されて（吸い上げられて）端子１の先端部分と折り曲げ部２ｆとの間を埋めることにより、図４に示すように、端子１，２同士を確実にはんだ付けすることができる。
【００１４】
上述したように、この発明によれば、交差させた一対の端子１，２の端子２の先端部分に、端子１の先端部分と平行になる折り曲げ部２ｆを設けたので、はんだＳが端子１，２の交差部分全体および端子１，２の交差部分から端子１の先端部分と折り曲げ部２ｆとの間に付着、保持されて端子１の先端部分と折り曲げ部２ｆとの間を埋めることにより、はんだ不足またははんだ付け不良の発生を防止し、電気的接続の確実性および信頼性を向上させることができる。
そして、端子２に段部２ｂを設けたので、端子１の先端部分と折り曲げ部２ｆとの間を一定の間隔ｄに設定できることにより、はんだＳの吸い上がりがよくなって端子１，２の交差部分全体および端子１の先端部分と折り曲げ部２ｆとの間にはんだＳを確実に付着させることができ、確実にはんだ付けすることができる。
また、端子１の先端部分と折り曲げ部２ｆとの間隔ｄを０．１ｍｍ〜５ｍｍ（好ましくは、０．２ｍｍ〜１．４ｍｍ）にしたので、はんだＳの吸い上がりがよくなって端子１，２の交差部分全体および端子１の先端部分と折り曲げ部２ｆとの間にはんだＳを確実に付着させることができ、確実にはんだ付けすることができる。
【００１５】
なお、上記した実施例では、交差させた一対の端子１，２の端子２の先端部分に、端子１の先端部分と平行になるように折り曲げて折り曲げ部２ｆを設ける例を示したが、両方の端子の先端部分を、互いに平行になるように折り曲げて折り曲げ部としても、同様な効果を得ることができる。
そして、折り曲げ部２ｆを予め折り曲げておく例を示したが、端子２の装着部２ａを端子１の切欠１ａ内に装着した（かしめ部分をかしめた）後、装着部２ａの先端部分を折り曲げて折り曲げ部２ｆとしてもよい。
さらに、端子２に段部２ｂを設ける例を示したが、この段部２ｂは必ずしも設ける必要はない。
また、板状の端子１，２同士をはんだ付けする例を示したが、線状の端子同士をはんだ付けする場合にも適用することができる。
そして、はんだディップではんだ付けする例を示したが、はんだごてではんだ付けする場合にも適用することができる。
さらに、内燃機関用点火コイルのはんだ付け部分を例にして説明したが、他の機器のはんだ付け部分にも適用することができる。
【図面の簡単な説明】
【００１６】
【図１】（ａ），（ｂ），（ｃ），（ｄ）はこの発明の一実施例であるはんだ付け構造における一対の端子の一部を示す組み付け前の斜視図、一対の端子を組み付けた状態の側面図、一方の端子をかしめた状態の側面図および一方の端子をかしめた状態の正面図である。
【図２】図１（ｃ），（ｄ）に示した一対の端子をはんだディップするときの説明図である。
【図３】図１（ｃ），（ｄ）に示した一対の端子をはんだディップするときの説明図である。
【図４】図１（ｃ），（ｄ）に示した一対の端子をはんだディップするときの説明図である。
【図５】（ａ），（ｂ），（ｃ），（ｄ）は従来のはんだ付けする一対の端子の一部を示す組み付け前の斜視図、一対の端子を組み付けた状態の側面図、一方の端子をかしめた状態の側面図および一方の端子をかしめた状態の正面図である。
【図６】図５（ｃ），（ｄ）に示した一対の端子をはんだディップするときの説明図である。
【図７】図５（ｃ），（ｄ）に示した一対の端子をはんだディップするときの説明図である。
【図８】図５（ｃ），（ｄ）に示した一対の端子をはんだディップするときの説明図である。
【符号の説明】
【００１７】
１，２      端子
１ａ        切欠
２ａ        装着部
２ｂ        段部
２ｆ        折り曲げ部
１１，１２  端子
１１ａ      切欠
ｄ          間隔
Ｓ          はんだ
【図１】
2005111536.tif 000003
【図２】
2005111536.tif 000004
【図３】
2005111536.tif 000005
【図４】
2005111536.tif 000006
【図５】
2005111536.tif 000007
【図６】
2005111536.tif 000008
【図７】
2005111536.tif 000009
【図８】
2005111536.tif 000010